(57)【特許請求の範囲】
【請求項１】
白色より反射率が低い灰色基準部材と、
原稿もしくは前記灰色基準部材に光を照射する光源と、前記原稿もしくは前記灰色基準部材から反射された光を受光する受光素子と、を含む読取部と、
前記光源を用いて前記灰色基準部材に光を照射させ、前記受光素子が出力する出力値が最大階調値となるように、前記光源の照射時間を調整する照射時間調整部と、
前記照射時間調整部によって調整された時間に前記灰色基準部材における反射率の前記白色における反射率に対する比率を乗じ、その乗じた時間を前記光源の照射時間として決定する照射時間決定部と、
前記原稿を読み取る際に、前記照射時間決定部で決定された前記光源の照射時間を用いて前記原稿を読み取るように制御する制御部と、
を備えたことを特徴とする画像読取装置。
【請求項２】
請求項１に記載の画像読取装置であって、
前記読取部は、前記灰色基準部材に対して相対移動不能に支持されていること、
を特徴とする画像読取装置。
【請求項３】
請求項２に記載の画像読取装置であって、
原稿を搬送経路上に搬送する搬送部、
を備え、
前記読取部は、前記搬送経路に沿って一方の側に配置された第１読取部と、前記搬送経路に沿って他方の側に配置された第２読取部と、を備え、
前記灰色基準部材は、前記搬送経路に沿って他方の側に配置された第１基準部材と、前記搬送経路に沿って一方の側に配置された第２基準部材と、を備え、
前記第１読取部は、前記搬送経路を介して前記第２読取部と対向して配置されていること、
を特徴とする画像読取装置。
【発明の詳細な説明】
【技術分野】
【０００１】
本発明は、低反射率の基準部材を用いて光量を調整する技術に関する。
【背景技術】
【０００２】
従来から、読取部と低反射率を有する基準部材を備えた画像読取装置が知られている（例えば、特許文献１）。これらの装置では、読取部を用いて原稿を読み取る際に、原稿を介して読取部と対向する位置に基準部材が配置される。そして、原稿に光を照射し、原稿で反射された光を、読取部を用いて読み取る。これらの装置では、基準部材が低反射率を有するので、原稿に光を照射した際に、原稿を通過した光が基準部材で反射することが抑制される。これによって、原稿の読取部と対向している面の内容を読み取る際に、原稿の読取部と対向していない面に記載された内容が読取部に読み取られる、いわゆる「裏写り」と呼ばれる現象が抑制されるという。
【先行技術文献】
【特許文献】
【０００３】
【特許文献１】特開２０００−１２５０９４号公報
【発明の概要】
【発明が解決しようとする課題】
【０００４】
これらの装置では、読取部が基準部材に対して相対移動不能に固定されていることがある。この場合、読取部はこの基準部材を用いて光量調整を行うこととなる。従来技術のように、基準部材を、高反射率を有する他の基準部材と交換可能に構成しておくことで、高反射率を有する基準部材を用いて読取部の光量調整を適切に行うことが可能である。しかし、装置に基準部材の交換機能を備えておく必要があり、装置が複雑化してしまう問題が生じる。
【０００５】
また、特許文献１のような従来技術では、低反射率を有する基準部材を用いて測定された反射濃度（出力値）を補正して、高反射率を有する基準部材を用いて測定された場合の出力値を算出する技術が開示されている。この技術では、この算出した出力値を用いて光量調整回路により、光量を調整する。しかし、単に反射率の比を用いた算出方法では、単に出力値が反射率の比に比例することを前提としており、実際の読取デバイスの非線形性を考慮していない。よって、単に反射率の比を用いて補正した場合には、出力値が読取部の出力範囲を超えてしまう等の問題が生じる。
【０００６】
本明細書では、低反射率の部材に基づいて光量調整を行う技術を開示する。
【課題を解決するための手段】
【０００７】
本明細書によって開示される画像読取装置は、白色より反射率が低い灰色基準部材と、
原稿もしくは前記灰色基準部材に光を照射する光源と、前記原稿もしくは前記灰色基準部材から反射された光を受光する受光素子と、を含む読取部と、前記光源を用いて前記灰色基準部材に光を照射させ、前記受光素子が出力する出力値が最大階調値となるように、前記光源の照射時間を調整する照射時間調整部と、前記照射時間調整部によって調整された時間に前記灰色基準部材における反射率の前記白色における反射率に対する比率を乗じ、その乗じた時間を前記光源の照射時間として決定する照射時間決定部と、前記原稿を読み取る際に、前記照射時間決定部で決定された前記光源の照射時間を用いて前記原稿を読み取るように制御する制御部と、を備える。
【０００８】
また、上記の画像読取装置では、前記受光素子が出力するアナログ信号の出力値をデジタル信号の出力値に変換する変換部、を備え、前記照射時間調整部は、前記受光素子が出力し、前記変換部によって変換された出力値の最大値が、前記変換部の最大出力値となるように前記光源の照射時間を調整する構成としても良い。
【０００９】
また、上記の画像読取装置では、前記読取部は、前記灰色基準部材に対して相対移動不能に支持されている構成としても良い。
【００１０】
また、上記の画像読取装置では、原稿を搬送経路上に搬送する搬送部、を備え、前記読取部は、前記搬送経路に沿って一方の側に配置された第１読取部と、前記搬送経路に沿って他方の側に配置された第２読取部と、を備え、前記灰色基準部材は、前記搬送経路に沿って他方の側に配置された第１基準部材と、前記搬送経路に沿って一方の側に配置された第２基準部材と、を備え、前記第１読取部は、前記搬送経路を介して前記第２読取部と対向して配置されている構成としても良い。
【００１１】
【００１２】
この発明は、上記の画像読取装置の他、画像読取装置を用いた光量制御方法等の種々の態様で実現することができる。
【発明の効果】
【００１３】
本明細書によって開示される画像読取装置では、低反射率の部材である基準部材を用いて照射時間を適切に決定することができ、精度良く光量調整を行うことができる。
【図面の簡単な説明】
【００１４】
【図１】画像読取装置１の斜視図
【図２】画像読取装置１の概略的な断面図
【図３】読取部２４の構造を説明するための図
【図４】画像読取装置１の電気的構成を概略的に示すブロック図
【図５】読取処理を示すフローチャート
【図６】光量調整処理を示すフローチャート
【図７】各受光素子の白基準データＷＤ及び白基準データＷＤを示すグラフ
【図８】従来技術の問題点を示す図
【図９】本実施形態の照射時間Ｔの決定方法を説明するための図
【発明を実施するための形態】
【００１５】
＜実施形態＞
本実施形態を、図１ないし図９を用いて説明する。
【００１６】
１．画像読取装置の機械的構成
図１は、本実施形態の画像読取装置１の外観を示す斜視図である。画像読取装置１は、給紙トレイ２と、本体部３と、排紙トレイ４と、を含む。本実施形態の画像読取装置１は、ユーザにより給紙トレイ２に載置された複数の原稿を排紙トレイ４に搬送するとともに、搬送中の原稿を本体部３に含まれる読取部２４（図２参照）を用いて読み取るシートフ
ィードスキャナである。
【００１７】
給紙トレイ２は、図１に矢印８で示す給紙トレイ２の幅方向の両端部にガイド７Ａ、７Ｂを有する。ガイド７Ａ、７Ｂは、給紙トレイ２の幅方向に移動可能である。画像読取装置１では、ユーザによりガイド７Ａ、７Ｂが押し広げられ、又は押し狭められることにより、ガイド７Ａ、７Ｂの間の距離が原稿の幅と等しく調整され、給紙トレイ２のガイド７Ａ、７Ｂの間に原稿が載置される。
【００１８】
図２に示すように、本体部３には、給紙トレイ２と排紙トレイ４を接続する搬送経路２２が設けられており、この搬送経路２２の周辺に、ピックアップローラ２０と、分離パッド２１と、フィードローラ２３と、読取部２４と、排出ローラ２５と、を備える。
【００１９】
ピックアップローラ２０は、摩擦力により、給紙トレイ２に載置された複数枚の原稿を本体部３の内部へと引き込む。分離パッド２１は、摩擦力により、複数枚の原稿を各原稿に分離する。給紙トレイ２に載置された複数枚の原稿は、これらによって、各原稿に分離されて本体部３の内部へと引き込まれる。
【００２０】
フィードローラ２３は、図示しないモータにより駆動され、本体部３の内部へと引き込まれた原稿を搬送経路２２上に搬送する。読取部２４は、フィードローラ２３によって搬送経路２２内を搬送される原稿を読み取る。
【００２１】
排出ローラ２５は、搬送経路２２上に搬送された原稿を排紙トレイ４に送り出す。排出ローラ２５により排紙トレイ４に供給された原稿は、排紙トレイ４に積層される。つまり、ピックアップローラ２０とフィードローラ２３と排出ローラ２５とによって、給紙トレイ２に載置された原稿を搬送経路２２上に搬送する搬送部２６が形成されている。
【００２２】
図３に示すように、読取部２４は、搬送経路２２を挟んで対向する一対のＣＩＳ３０、４０を含んで構成される。図３に示すように、ＣＩＳ（第１読取部の一例）３０は、搬送経路２２に沿って上側（一方の側の一例）に配置されており、プラテンガラス３４下を通過する原稿の裏面を読み取る。また、ＣＩＳ（第２読取部の一例）４０は、搬送経路２２に沿って下側（他方の側の一例）に配置されており、プラテンガラス４４上を通過する原稿の表面を読み取る。ＣＩＳ３０、４０は、搬送経路２２を挟んでお互いに相対移動不能に支持されている。
【００２３】
ＣＩＳ３０は、上記プラテンガラス３４の他、発光ダイオードなどで構成される光源３１、複数の受光素子が図３の紙面垂直方向に直線状に配列されている受光部３２、及びこれらが搭載されるキャリッジ３５等を含む。なお、ＣＩＳ４０の構造はＣＩＳ３０の構造と基本的に同じものであり、重複した説明を省略する。
【００２４】
ＣＩＳ３０のプラテンガラス３４には、ＣＩＳ４０の受光部４２に対向する位置に灰色基準板（第２基準部材の一例）３３が配置されている。ＣＩＳ３０、４０は搬送経路２２を挟んでお互いに相対移動不能に支持されており、ＣＩＳ４０は、灰色基準板３３に対して相対移動不能に支持される。
【００２５】
灰色基準板３３は、プラテンガラス３４の搬送経路２２に面する下面に、その表面がプラテンガラス３４の下面と同一の高さとなるように配置されている。灰色基準板３３は、白基準板の反射率（第１反射率の一例）Ｒｆ１よりも低く、黒基準板の反射率Ｒｆ２よりも高い反射率（第２反射率の一例）Ｒｆ３を有している。
【００２６】
また、ＣＩＳ４０のプラテンガラス４４には、ＣＩＳ３０の受光部３２に対向する位置
に灰色基準板（第１基準部材の一例）４３が配置されている。ＣＩＳ３０、４０は搬送経路２２を挟んでお互いに相対移動不能に支持されており、ＣＩＳ４０は、灰色基準板３３に対して相対移動不能に支持される。
【００２７】
灰色基準板４３は、プラテンガラス４４の搬送経路２２に面する上面に、その表面がプラテンガラス４４の上面と同一の高さとなるように配置されている。灰色基準板４３は、灰色基準板３３と同様に反射率Ｒｆ３を有している。
【００２８】
また、図１に示すように、本体部３には、この他に、電源スイッチや各種設定ボタンからなり、ユーザからの操作指令等を受け付ける操作部５や、液晶ディスプレイからなり、画像読取装置１の状況や読取部２４が原稿を読み取った画像を表示する表示部６を含む。
【００２９】
２．画像読取装置の電気的構成
図４は、画像読取装置１の電気的構成を概略的に示すブロック図である。図４に示すように、画像読取装置１は、画像読取装置１の各部を制御するＡＳＩＣ（特定用途向け集積回路）１０を含む。ＡＳＩＣ１０は、中央処理装置（以下、ＣＰＵ）１１、ＲＯＭ１２、ＲＡＭ１３を備え、これらにバス１４を介して操作部５、表示部６、アナログフロントエンド（変換部の一例、以下、ＡＦＥ）１５、点灯回路１６、搬送部２６に含まれる各ローラを駆動する駆動回路１７、ＣＩＳ３０、４０などが接続されている。
【００３０】
ＲＯＭ１２には、画像読取装置１の動作を制御するための各種のプログラムが記憶されており、ＣＰＵ１１は、ＲＯＭ１２から読み出したプログラムに従って、画像処理部５０、照射時間調整部５１、照射時間決定部５２、制御部５３等として機能し、各部の制御を行う。
【００３１】
点灯回路１６は、ＣＩＳ３０、４０に各々接続されており、ＣＰＵ２０からの命令に基づいて、光源３１、４１の点灯及び照射時間Ｔを制御する信号をＣＩＳ３０、４０に送信する。ＣＩＳ３０、４０は、点灯回路１６から信号を受け取ると、光源３１、４１を点灯し、照射時間Ｔに亘って光源３１、４１を照射する。その際、ＣＩＳ３０、４０は、ＣＰＵ２０からの命令に基づいて、搬送経路２２上を搬送される原稿又は灰色基準板３３、４３から反射される反射光を受光部３２、４２を用いて受光し、受光部３２、４２が受光した受光量に応じたアナログ信号である読取電圧（出力値の一例）をＡＦＥ１５に出力する。ＣＩＳ３０、４０は、受光部３２、４２の各受光素子を用いて反射光を受光し、各受光素子が受光した受光量に応じた読取電圧を順次、ＡＦＥ１５に出力する。
【００３２】
ＡＦＥ１５は、ＣＩＳ３０、４０に各々接続されており、ＣＰＵ２０からの命令に基づいて、ＣＩＳ３０、４０から出力される読取電圧をデジタル信号である読取データ（出力値の別例）に変換するＡ／Ｄ変換回路を有している。ＡＦＥ１５は、予め定められた入力レンジＱ及び分解能Ｂ（例えば、８ビットであるならば０から２５５の階調）を有している。ＡＦＥ１５は、ＣＩＳ３０、４０から出力された読取電圧を８ビット（０〜２５５）の読取データにＡ／Ｄ変換を行う。そして、ＡＦＥ１５によってＡ／Ｄ変換された読取データは、バス１４を介してＲＡＭ１３に記憶される。
【００３３】
３．読取処理
次に、図５ないし図７を参照して、読取部２４を用いて原稿を読み取る場合の、ＣＰＵ２０における処理について説明する。読取部２４では、ＣＩＳ３０、４０が各々別々に同一の読取処理を行っており、ここではＣＩＳ４０を用いて原稿の表面を読み取る場合の説明を行い、ＣＩＳ３０を用いて原稿の裏面を読み取る場合の説明を省略する。
【００３４】
図５は、ＣＰＵ１１が所定のプログラムに従って実行する本実施形態のフローチャート
を示す。ＣＰＵ１１は、ユーザによって画像読取装置１の給紙トレイ２に原稿が載置され、操作部５を介してＣＩＳ４０による原稿の読取指示が入力されると、処理を開始する。ＣＰＵ１１は、処理を開始すると、まず、光量調整処理を実行する（Ｓ２）。
【００３５】
図６に示すように、光量調整処理において、ＣＰＵ１１は光源４１の照射時間Ｔを予め定められた最長照射時間Ｔｍａｘに設定し（Ｓ２２）、点灯回路１６を介して当該内容をＣＩＳ４０に送信する。これにより、ＣＩＳ４０では、光源４１が灰色基準板３３に最長照射時間Ｔｍａｘに亘って光を照射する。その際、ＣＰＵ１１は、灰色基準板３３で反射された反射光を、受光部４２を用いて１ラインに亘って読み取る（Ｓ２４）。受光部４２により受光された受光量に応じた読取電圧は、ＡＦＥ１５により読取データに変換され、ＲＡＭ１３に記憶される。
【００３６】
ＣＰＵ１１は、ＲＡＭ１３に記憶された読取データから最大階調値ＫＡｍａｘを検出し、この最大階調値ＫＡｍａｘとＡＦＥ１５の分解能の最大階調値ＫＢｍａｘ（８ビットの場合、２５５）と比較する（Ｓ２６）。照射時間調整部５１として機能するＣＰＵ１１は、最大階調値ＫＡｍａｘが最大階調値ＫＢｍａｘよりも大きい場合（Ｓ２６：ＮＯ）、光源４１の照射時間Ｔを現在よりも予め定められた基準間隔ΔＴだけ短くなるように調整する（Ｓ２８）。そして、ＣＰＵ１１は、再びＳ２２及びＳ２４の処理を実行する。
【００３７】
一方、図７に示すように、最大階調値ＫＡｍａｘが最大階調値ＫＢｍａｘと等しくなった場合（Ｓ２６：ＹＥＳ）、ＣＰＵ１１は現在設定されている時間Ｔ１をＲＡＭ１３に一時的に記憶する（Ｓ３０）。本実施形態では、基準間隔ΔＴは最長照射時間Ｔｍａｘに対して比較的短く設定されている。そのため、照射時間Ｔを基準間隔ΔＴだけ短くした場合に、最大階調値ＫＡｍａｘが最大階調値ＫＢｍａｘよりも大きい状態から最大階調値ＫＡｍａｘが最大階調値ＫＢｍａｘと等しい状態へと変更することができ、最大階調値ＫＡｍａｘが最大階調値ＫＢｍａｘよりも大きい状態からいきなり最大階調値ＫＡｍａｘが最大階調値ＫＢｍａｘよりも小さい状態へと変更してしまうことが抑制される。
【００３８】
ＲＡＭ１３には、反射率Ｒｆ３の反射率Ｒｆ１に対する比率である反射比率Ｒが記憶されている。ＣＰＵ１１は、時間Ｔ１を記憶後、ＲＡＭ１３から反射比率Ｒを読み出し、時間Ｔ１に反射比率Ｒを乗じた時間Ｔ２を算出し（Ｓ３２）、ＲＡＭ１３に記憶する（Ｓ３４）。ＣＰＵ１１は、時間Ｔ２を記憶後、照射時間決定部５２として機能し、算出した時間Ｔ２を照射時間Ｔとして決定し（Ｓ３６）、光量調整処理を終了する。
Ｒ＝Ｒｆ３／Ｒｆ１、Ｔ２＝Ｔ１×Ｒ＝Ｔ１×Ｒｆ３／Ｒｆ１
【００３９】
光量調整処理終了後、ＣＰＵ１１は受光部４２のシェーディング補正データ（以下、補正データ）Ｈを作成する（Ｓ４）。ＣＰＵ１１は、当該補正データ作成処理を、搬送経路２２上に原稿が載置されていない状態で行う。補正データ作成処理において、ＣＰＵ１１は、図７に示すように、ＣＩＳ４０を用いて、光源４１を照射させない場合の黒基準データ（実線）ＫＤを取得するとともに、光源４１から灰色基準板３３に照射時間Ｔ、すなわち時間Ｔ２に亘って照射した場合の白基準データ（点線）ＷＤを取得する。ＣＰＵ１１は、黒輝度データ及び白輝度データを用いて補正データＨを作成し、作成した補正データＨをＲＡＭ１３に記憶する。補正データＨによって、受光部４２に含まれる各受光素子の黒基準データＫＤは、ＡＦＥ１５の最小階調値ＫＢｍｉｎに補正され、各受光素子の白基準データＷＤは、ＡＦＥ１５の最大階調値ＫＢｍａｘに補正される。なお、補正データＨの作成方法は、従来技術における当該補正データの作成方法と同一であり、説明を省略する。
【００４０】
補正データ作成後、ＣＰＵ１１は、駆動回路１７を用いて搬送部２６を駆動し、原稿の搬送を開始する（Ｓ６）。ＣＰＵ１１は、原稿の搬送開始後、原稿の搬送方向の先端がＣ
ＩＳ４０の受光部４２に対向する位置に到達した場合に、原稿を読み取る（Ｓ８）。この際、制御部５３として機能するＣＰＵ１１は、１ラインの間、照射時間Ｔの時間の間、原稿に光を照射して、原稿を読み取るＣＩＳ３０、４０を制御する。また、ＣＰＵ１１は画像処理部５０として機能し、原稿を読み取った読取データ（階調値）にシェーディング補正等の補正処理を行う。ＣＰＵ１１は、原稿の読み取りを終了すると、処理を終了する。
【００４１】
４．本実施形態の効果
（１）画像読取装置１では、受光部３２、４２に含まれる複数の受光素子の相互の特性バラツキを補正するために、ＣＩＳ３０、４０を用いた原稿の読み取りに先だって補正データＨを取得する必要があり、その際、白基準データＷＤが取得される。白基準データＷＤは、補正データＨによって、ＡＦＥ１５の最大階調値ＫＢｍａｘに変換されることから、変換等による誤差を抑制するために、高い反射率を有する部材を用いて測定されることが多く、通常、反射率Ｒｆ１を有する白基準板を用いて白基準データＷＤが取得される。つまり、ＡＦＥ１５の最大階調値ＫＢｍａｘは、白基準板の反射率Ｒｆ１に対応する値ということができる。
【００４２】
本実施形態の画像読取装置１では、白基準板に代わって、灰色基準板３３、４３が備えられており、灰色基準板３３、４３を用いて白基準データＷＤが取得される。この際、白基準データＷＤを取得する際の光源３１、４１の照射時間Ｔ（これは、原稿を読み取る際の光源３１、４１の照射時間Ｔに等しい）が、ＡＦＥ１５の最大階調値ＫＢｍａｘに基づいて決定される。つまり、本実施形態では、白基準板の反射率Ｒｆ１よりも低い反射率Ｒｆ３を有する灰色基準板３３、４３を用いて光量調整を行う際に、白基準板の反射率Ｒｆ１に対応する値に基づいて照射時間Ｔを決定する。
【００４３】
例えば、図８に示すように、灰色基準板３３、４３を用いて光量調整を行う際に、灰色基準板３３、４３の反射率Ｒｆ３と白基準板の反射率Ｒｆ１の反射比率Ｒに対応したＡＦＥ１５の目標階調値ＫＢｍｉｄを以下のように設定し、この目標階調値ＫＢｍｉｄに基づいて照射時間Ｔを設定する方法も考えうる。この方法では、例えば、光量調整処理において、最大階調値ＫＡｍａｘが目標階調値ＫＢｍｉｄと等しくなる時間Ｔ３を算出し、この時間Ｔ３に反射比率Ｒの逆数を乗した時間Ｔ４を照射時間Ｔとして決定する。
ＫＢｍｉｄ＝ＫＢｍａｘ×Ｒ＝ＫＢｍａｘ×（Ｒｆ３／Ｒｆ１）
Ｔ４＝Ｔ３×（１／Ｒ）＝Ｔ３×（Ｒｆ１／Ｒｆ３）
【００４４】
しかし、時間Ｔ２と時間Ｔ４は必ずしも等しくならない。画像読取装置１では、ＣＩＳ３０、４０及びＡＦＥ１５において、受光部３２、４２の受光素子が受光した受光量が増幅されて読取電圧として出力され、その読取電圧が読取データに変換されるまでに、非線形性を伴う処理が行われることがあり、図８に示すように、照射時間Ｔと取得される階調値の線形性が失われていることがある。そのため、最大階調値ＫＢｍａｘに線形処理を施して目標階調値ＫＢｍｉｄを算出していたとしても、目標階調値ＫＢｍｉｄに対応する照射時間Ｔに線形処理を施して最大階調値ＫＢｍａｘに対応する照射時間Ｔが算出されるとは限らない。例えば、図８に示すように、時間Ｔ４が時間Ｔ２よりも長く設定されることがあり、この場合、各受光素子を用いて取得された階調値がＡＦＥ１５の最大階調値ＫＢｍａｘを超えてしまい、光量調整ができない。また、図８とは逆に、時間Ｔ４が時間Ｔ２よりも短く設定されることがあり、この場合、各受光素子を用いて取得された階調値がＡＦＥ１５の最大階調値ＫＢｍａｘより低くなり、変換等による誤差を抑制することができない。
【００４５】
本実施形態の画像読取装置１では、灰色基準板３３、４３を用いて光量調整を行う際に、ＡＦＥ１５の最大階調値ＫＡｍａｘに基づいて照射時間Ｔを設定し、例えば目標階調値ＫＢｍｉｄなどの最大階調値ＫＡｍａｘ以外の階調値を用いて照射時間Ｔを設定しない。
本実施形態では、灰色基準板３３、４３を用いた場合でも、各受光素子が第１反射率に対応する受光量に基づいて照射時間Ｔを決定するので、受光量を読取データに変換するまでに、非線形性を伴う処理が行われることがあったとしても、当該非線形性の影響を受けることがない。
【００４６】
また、本実施形態の画像読取装置１では、反射率と受光量が比例し、照射時間と受光量が比例することを利用して照射時間Ｔを決定する。すなわち、白基準板の反射率Ｒｆ１よりも低い反射率Ｒｆ３を有する灰色基準板３３、４３を用いて測定することで長期化してしまう照射時間Ｔ１を反射比率Ｒによって補償し、照射時間Ｔ２を決定する。これにより、図８、図９に一点鎖線で示すように、白基準板を用いて設定される照射時間Ｔ２を、灰色基準板３３、４３を用いて適切に決定することができ、精度良く光量調整を行うことができる。
【００４７】
（２）本実施形態の画像読取装置１では、照射時間ＴがＡＦＥ１５の最大階調値ＫＡｍａｘに基づいて調整されているので、ＡＦＥ１５がＣＩＳ３０、４０から出力された読取電圧を変換した場合に、変換した階調値がＡＦＥ１５の最大階調値ＫＡｍａｘを超えることを確実に防止することができる。
【００４８】
（３）本実施形態の画像読取装置１では、ＣＩＳ３０、４０が搬送経路２２を挟んでお互いに相対移動不能に支持されている。そして、ＣＩＳ３０が灰色基準板４３に対して相対移動不能に支持されており、ＣＩＳ４０が灰色基準板３３に対して相対移動不能に支持されている。そのため、ＣＩＳ３０、４０の光量調整処理を行う際に、白基準板などの画像読取装置１に備えられていない他の基準部材を用いて照射時間を設定することができない場合でも、灰色基準板３３、４３を用いて照射時間を適切に設定することができる。
【００４９】
（４）本実施形態の画像読取装置１では、ＣＩＳ３０、４０が原稿を読み取る際に、灰色基準板３３、４３とＣＩＳ３０、４０の間に原稿を配置して、当該原稿を読み取る。この画像読取装置１によれば、灰色基準板３３、４３の反射率が白基準板の第１反射率よりも低く抑えられているため、原稿を読み取る際に、裏写りすることが抑制される。
【００５０】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１を用いて説明を行ったが、本発明はこれに限られない。例えば、プリンタ機能、スキャナ機能、コピー機能、ファクシミリ機能等の少なくとも１つの機能を有する複合機であっても良い。
【００５１】
（２）上記実施形態では、画像読取装置１が１つのＡＳＩＣ１０を有し、画像処理部５０、照射時間調整部５１、照射時間決定部５２、制御部５３等の機能をＡＳＩＣ１０が有する１つのＣＰＵ２０によって実行する例を用いて示したが、本発明はこれに限られない。例えば、お互いに異なるＣＰＵ、ＡＳＩＣなどによって各部が構成されても良いし、画像処理回路等、独立した回路や装置を用いて構成されていても良い。
【符号の説明】
【００５２】
１：画像読取装置、３：本体部、１０：ＡＳＩＣ、１１：ＣＰＵ、１５：ＡＦＥ、１６：点灯回路、２２：搬送経路、２４：読取部、２６：搬送部、３０、４０：ＣＩＳ、３１、４１：光源、３２、４２：受光部、３３、４３：灰色基準板、３４、４４：プラテンガラス、５０：画像処理部、５１：照射時間調整部、５２：照射時間決定部、５３：制御部、Ｒｆ１：白基準板の反射率、Ｒｆ２：黒基準板の反射率、Ｒｆ３：灰色基準板の反射率、Ｒ：反射比率、Ｔ：照射時間
【図１】
0005793905.tif 000002
【図２】
0005793905.tif 000003
【図３】
0005793905.tif 000004
【図４】
0005793905.tif 000005
【図５】
0005793905.tif 000006
【図６】
0005793905.tif 000007
【図７】
0005793905.tif 000008
【図８】
0005793905.tif 000009
【図９】
0005793905.tif 000010